(57)【要約】      （修正有）【課題】天板面上にキーボードを配置可能な第１の天板と、天板面上で筆記作業を行うことが可能な第２の天板とを有する天板付き家具において、キーボード操作と筆記作業との双方を快適に行うことができるようにする。【解決手段】机Ｄに、天板面３ａ上にキーボードを配置可能であるとともに使用位置と使用位置より後方の収納位置との間で移動可能な第１の天板３と、前記第１の天板３より上方に配してなり天板面４ａ上で筆記作業を行うことが可能であるとともに使用位置と使用位置より後方の収納位置との間で移動可能な第２の天板４と、これら第１及び第２の天板３、４を相反的に前後方向に移動させる天板移動機構５とを具備し、利用者が移動することなく天板３、４を使用可能とする。【選択図】図１
2010142429.tif 000002
【特許請求の範囲】
【請求項１】
天板面上にキーボードを配置可能であるとともに使用位置と使用位置より後方の収納位置との間で移動可能な第１の天板と、前記第１の天板より上方に配してなり天板面上で筆記作業を行うことが可能であるとともに使用位置と使用位置より後方の収納位置との間で移動可能な第２の天板と、これら第１及び第２の天板を相反的に前後方向に移動させる天板移動機構とを具備することを特徴とする天板付き家具。
【請求項２】
前記第１の天板及び第２の天板を共通の天板支持構造体に支持させてなるとともに、前記天板支持構造体の床面からの高さ位置を変更可能である請求項１記載の天板付き家具。
【請求項３】
前記天板移動機構が、前記第１の天板に設けた第１のラックギアと、前記第２の天板に設けた第２のラックギアと、これら第１及び第２のラックギアに同時に噛み合うピニオンギアとを備えている請求項１又は２記載の天板付き家具。
【請求項４】
前記ピニオンギアが、前記第１のラックギアに噛み合う第１のギア体と、前記第１のギア体及び前記第２のラックギアに噛み合う第２のギア体とからなる請求項３記載の天板付き家具。
【請求項５】
前記天板移動機構が、一端部を第１の天板に接続してなるとともに、他端部を第２の天板に接続してなり、一方側にのみ屈曲可能なチェーンと、このチェーンの後方に設けられこのチェーンの後方への移動を規制する移動規制部とを備えている請求項１又は２記載の天板付き家具。
【請求項６】
前記移動規制部の前記チェーンを挟んで反対側に、前記チェーンの前方への移動を規制する抜け止め部を設けている請求項５記載の天板付き家具。
【発明の詳細な説明】
【技術分野】
【０００１】
本発明は、オフィス等において、パソコン等の情報端末を用いた作業及び紙の書類等への記帳作業に好適に用いられる天板付き家具に関する。
【背景技術】
【０００２】
従来、オフィス等において、パソコン等の情報端末を用いた作業を行う者が好適に使用可能な天板付き家具として、天板面に情報端末のキーボードを配置可能な第１の天板と、この第１の天板の上方に配置してなる第２の天板とを有するものが知られている（例えば、特許文献１を参照）。前記特許文献１記載の天板付き家具では、支持枠に第２の天板を固定しているとともに、前記第１の天板を、少なくとも一部が第２の天板の前端より前方に位置する使用位置と、全体が第２の天板の下方に位置する収納位置との間を移動可能に構成している。そして、情報機器の使用時には第１の天板を使用位置に引き出し、情報機器の非使用時には第２の天板を収納位置に押し込むようにしている。
【特許文献１】特許第３５３２８９２号公報
【発明の開示】
【発明が解決しようとする課題】
【０００３】
ところで、このような天板付き家具を利用するにあたり、情報機器の非使用時には、紙の文書に筆記する作業を行うことがある。しかして、このような天板付き家具の第１の天板を収納位置に押し込み、第２の天板を利用して筆記作業を行う場合、第２の天板の使用端は、使用位置に引き出した状態の第１の天板のキーボード載置位置よりも反使用端側であるので、利用者は、腕を伸ばして第２の天板にアクセスするか、或いは利用者が天板付き家具に近づく方向に移動して第２の天板にアクセスする必要がある。同一の天板付き家具を利用してキーボード操作と筆記作業とを行うにあたり、このような手間が煩雑に感じられることがある。
【０００４】
本発明はこのような課題を解決することを目的とする。
【課題を解決するための手段】
【０００５】
すなわち、以上のような課題を解決すべく、本発明に係る天板付き家具は、天板面上にキーボードを配置可能であるとともに使用位置と使用位置より後方の収納位置との間で移動可能な第１の天板と、前記第１の天板より上方に配してなり天板面上で筆記作業を行うことが可能であるとともに使用位置と使用位置より後方の収納位置との間で移動可能な第２の天板と、これら第１及び第２の天板を相反的に前後方向に移動させる天板移動機構とを具備することを特徴とする。
【０００６】
このようなものであれば、筆記作業を行う際には、第１の天板を反使用端側に押し込むと、前記天板移動機構により第２の天板が使用端側に移動するので、従来のこの種の天板付き家具と比較して、利用者が移動することなく利用者に近い位置で第２の天板を利用した筆記作業を行うことができる。
【０００７】
さらに、利用者の体格によらずこのような天板付き家具を快適に使用できるようにするには、前記第１の天板及び第２の天板を共通の天板支持構造体に支持させてなるとともに、前記天板支持構造体の床面からの高さ位置を変更可能であるものが望ましい。
【０００８】
このような天板付き家具を簡単な構成で実現するには、前記天板移動機構が、前記第１の天板に設けた第１のラックギアと、前記第２の天板に設けた第２のラックギアと、これら第１及び第２のラックギアに同時に噛み合うピニオンギアとを備えているものが望ましい。
【０００９】
特に、前記ピニオンギアが、前記第１のラックギアに噛み合う第１のギア体と、前記第１のギア体及び前記第２のラックギアに噛み合う第２のギア体とからなるものであれば、前記第１及び第２のラックギアをそれぞれ前記第１又は第２の天板の一方の下面に形成し、前記第１のギア体を前記第１のラックギアの下方でこの第１のラックギアに噛み合わせるとともに前記第２のギア体を前記第２のラックギアの下方でこの第２のラックギアに噛み合わせ、さらに前記第１のラックギアと前記第２のギア体とを歯幅方向に互いに隣接させて配置し、前記第２のギア体も前記第１のギア体に噛み合わせるようにすることで、天板の幅方向に延伸する軸回りに回転する１つのピニオンギアを利用する態様と比較して、第１のラックギアのラック歯が第１の天板の上面に露出せず、従って第１の天板を引き出した際の外観を整えることができる。
【００１０】
また、このような天板付き家具を簡単な構成で実現するための前記天板移動機構の他の態様として、一端部を第１の天板に接続してなるとともに、他端部を第２の天板に接続してなり、一方側にのみ屈曲可能なチェーンと、このチェーンの後方に設けられこのチェーンの後方への移動を規制する移動規制部とを備えているものが挙げられる。
【００１１】
特に、前記移動規制部の前記チェーンを挟んで反対側に、前記チェーンの前方への移動を規制する抜け止め部を設けているものであれば、第１又は第２の天板をのうち一方を収納位置に向けて後方に押し込む操作を加えた場合に他方を使用位置に向けて前方に移動させることができるだけでなく、第１又は第２の天板のうち一方を使用位置に向けて前方に引き出す操作を加えた場合に、他方の天板を収納位置に向けて後方に移動させることができる。
【発明の効果】
【００１２】
本発明に係る天板付き家具の構成によれば、第１及び第２の天板が相反的に前後移動するので、所望の作業に使用する天板のみを使用者に近づけるようにでき、従来のこの種の天板付き家具と比較して、利用者が移動することなく、第１の天板を利用したキーボード操作及び第２の天板を利用した筆記作業を快適に行うことができる。
【００１３】
さらに、前記第１及び第２の天板の少なくともいずれかを支持する構造体に取り付けてなる支持部と、この支持部に高さ方向位置を変更可能に一端部を支持させてなるとともに他端部にディスプレイモニタを前後方向への移動のみを可能に支持させてなるアーム本体とを有するディスプレイアームを有するものであれば、ディスプレイモニタの前後方向位置を調整する際に、誤ってディスプレイモニタを左右方向に移動させてしまう不具合の発生を防いで、ディスプレイモニタの前後方向位置の調整を容易に行うことができる。
【発明を実施するための最良の形態】
【００１４】
以下、本発明の一実施形態について述べる。
【００１５】
本実施形態に係る天板付き家具たる机Ｄは、図１〜図８に示すように、床面から起立して設けた脚１と、この脚１に支持させてなる天板支持構造体２と、この天板支持構造体２に支持させてなる第１の天板３と、この第１の天板３より上方に配してなり前記天板支持構造体２に同じく支持させてなる第２の天板４と、これら第１及び第２の天板３、４を相反的に前後方向に移動させる天板移動機構５とを具備する。また、この机Ｄには、前記天板支持構造体２に取り付けてなる支持部６１と、この支持部６１に高さ方向位置を変更可能に一端部を支持させてなるアーム本体６２とを有するディスプレイアーム６を取り付け可能である。
【００１６】
具体的には、前記脚１は、前記図１〜図４に示すように、左右１対に設けていて、前後方向に延伸するベース１１と、このベース１１から起立する伸縮可能な脚支柱１２と、この脚支柱１２を駆動する駆動装置１３とを具備する。前記脚支柱１２は、前記ベース１１から起立する中空の固定脚要素１２ａと、この固定脚要素１２ａにテレスコープ状に嵌め合わせてなり上下方向に移動可能な可動脚要素１２ｂとを有する。この可動脚要素１２ｂに、前記駆動装置１３を取り付けていて、この駆動装置１３からの駆動力を受けて可動脚要素１２ｂが固定脚要素１２ａにたいして嵌め合い度合いを変更しつつ昇降するようにしている。そして、この可動脚要素１２ｂの上端部に、前記天板支持構造体２を取り付けるようにしている。
【００１７】
前記天板支持構造体２は、前記図１〜図３、図７、及び図８に示すように、前記脚１の上端部、より具体的には前記の可動脚要素１２ｂの上端部にそれぞれ取り付けてなる側枠２１と、これら側枠２１の後端部同士を接続する背枠２２とを具備する。前記側枠２１は、前記昇降脚１の外側部の上方に取り付けてなる側枠本体２１ａと、この側枠本体２１ａの内方に設けてなる第１の天板支持部２１ｂと、前記側枠本体２１ａの外側端部の上方に設けてなる第２の天板支持部２１ｃとを具備する。なお、前記図７では、第２の天板支持部２１ｃは省略して示している。前記第１の天板支持部２１ｂの内側面には、第１のスライドレール２１ｂ１を設けている。この第１のスライドレール２１ｂ１は、前記側枠２１に取り付けてなる図示しないアウターレールと、このアウターレールに案内されつつ前後動可能な中間レール２１ｂ３と、この中間レール２１ｂ３にさらに案内されつつ前後動可能であるとともに、前記第１の天板３に取り付けてなるインナーレール２１ｂ４とを有し、このインナーレール２１ｂ４により第１の天板３を前後方向に移動可能に支持している。また、前記第２の天板支持部２１ｃの内側面には、第２のスライドレール２１ｃ１を設けている。この第２のスライドレール２１ｃ１も、図示はしないが、前記側枠２１に取り付けてなるアウターレールと、このアウターレールに案内されつつ前後動可能な中間レールと、この中間レールにさらに案内されつつ前後動可能であるとともに、前記第２の天板４に取り付けてなるインナーレールとを有し、このインナーレールにより第２の天板４を前後方向に移動可能に支持している。すなわち、前記側枠２１に設けた第１及び第２のスライドレール２１ｂ１、２１ｃ１を介して、第１及び第２の天板３、４をそれぞれ前後方向に移動可能に支持している。なお、前記第１及び第２のスライドレール２１ｂ１、２１ｃ１には、第１及び第２の天板３、４を使用位置Ｕにそれぞれ保持可能にすべく図示しない節度機構をそれぞれ設けている。
【００１８】
前記第１の天板３は、前記図１、図２、図４、図５、図７、及び図８に示すように、前記天板支持構造体２の第１のスライドレール２１ｂ１を介して、使用位置Ｕと使用位置Ｕより後方の収納位置Ｓとの間で移動可能に支持されている。また、この第１の天板３の天板面３ａ上にはキーボードを配置可能である。さらに詳述すると、この第１の天板３の幅方向中央部の反使用端縁３ｃ寄りの部位には、反使用端縁３ｃ側に向けて下降する傾斜を有するとともにキーボードを載せ置くことが可能なキーボード配置領域３ｄを形成している。このキーボード配置領域３ｄの奥行き寸法は、標準的なデスクトップパソコンのキーボードの奥行き寸法に略対応させている。また、本実施形態では、このキーボード配置領域３ｄの傾斜を１０度に設定している。一方、このキーボード配置領域３ｄの幅寸法は、標準的なデスクトップパソコンのキーボードの幅寸法よりも大きくしていて、このキーボード配置領域３ｄ内においてキーボードの幅方向位置を変更可能にしている。そして、この天板面３ａのキーボード配置領域３ｄは、第１の天板３の天板面３ａの他の領域よりも下方に位置している。一方、この天板面３ａのキーボード配置領域３ｄの左右両側方には、このキーボード配置領域３ｄよりも傾斜が緩やかなマウス配置領域３ｅを設けている。さらに、前記キーボード配置領域３ｄの両側端部の前方には、このキーボード配置領域３ｄよりも傾斜が緩やかであるとともに利用者の腕を載せ置くことが可能な腕支持領域３ｆを前方に突出させて設けている。本実施形態では、この天板３のキーボード配置領域３ｄ以外の天板面３ａの傾斜を３度に設定している。また、左右の腕支持領域３ｆ間の部位は、利用者の胴体を収納可能な凹部３ｇとしている。なお、この第１の天板３の床面からの高さ位置は、前記脚支柱１２を伸縮させて前記天板支持構造体２を昇降させることにより、４５０ｍｍ〜７５０ｍｍの範囲で変更可能である。なお、前記第１の天板３の床面からの高さ位置の下限４８０ｍｍは、日本人成人女性のうち身長が低い方から５％にあたる体格の者が快適にキーボード操作を行える高さ位置として実験により決定したものである。一方、前記第１の天板３の床面からの高さ位置の下限７４５ｍｍは、日本人成人男性のうち身長が高い方から５％にあたる体格の者が快適にキーボード操作を行える高さ位置として実験により決定したものである。さらに、前記腕支持領域３ｆの奥行き寸法は、日本人成人男性のうち身長が高い方から５％にあたる体格の者がキーボード操作を行う際に腕のほとんどを載せ置ける寸法として実験により決定したものである。一方、前記凹部３ｇの奥行き寸法は、日本人成人女性のうち身長が低い方から５％にあたる体格の者が胴体をこの凹部３ｇに配置した状態でキーボード操作を行うことができる寸法として実験により決定したものである。そして、この第１の天板３より上方に、前記第２の天板４を設けている。
【００１９】
前記第２の天板４は、前記図１、図２、図４、及び図６〜８に示すように、前記天板支持構造体２の第２のスライドレール２１ｃ１を介して、使用位置Ｕと使用位置Ｕより後方の収納位置Ｓとの間で移動可能に支持されている。また、この第２の天板４の天板面３ａ上では、筆記作業を行うことが可能である。さらに詳述すると、この第２の天板４は、略水平な板状の天板本体４１と、この天板本体４１の所定箇所に幅方向に延伸する軸に支持され自由端側が上下移動可能な筆記台４２と、この筆記台４２の自由端側の上下方向位置を変更可能にすべく前記天板本体４１と筆記台４２との間に設けてなる筆記台昇降装置たる筆記台昇降リンク機構４３とを具備する。本実施形態では、前記筆記台４２の上面を記帳領域４２ａとし、前記筆記台昇降リンク機構４３に対して操作を加えることにより、この記帳領域４２ａに使用端縁４ｂ側から反使用端縁４ｃ側に向けて上昇する傾斜を設けることが可能である。なお、この第２の天板４の床面からの高さ位置は、前記脚支柱１２を伸縮させて前記天板支持構造体２を昇降させることにより変更可能である。その際、この第２の天板４の前記第１の天板３に対する高さ位置は維持される。前記筆記台昇降リンク機構４３は、この第２の天板４の使用端縁４ｂに操作端４３ａ１を臨ませてなり第２の天板４の奥行き方向に延伸する操作レバー４３ａと、この操作レバー４３ａの他端部に一端部を接続している第１のリンクメンバ４３ｂと、第２の天板４の反使用端縁４ｃ近傍に一端部を接続している第２のリンクメンバ４３ｃと、これら第１及び第２のリンクメンバ４３ｂ、４３ｃの他端部を回転動作可能に接続するとともに前記筆記台４２の反使用端縁４ｃ側の部位の下面に設けたストッパ部材４２ｂと係り合いこの筆記台４２を支持する支持軸部材４３ｄとを具備する。ここで、本実施形態では、前記ストッパ部材４２ｂは、前記記帳領域４２ａの傾斜が５度、１０度、及び１５度となる位置にそれぞれ支持軸部材を係り合わせてなる凹部を有する。また、前記操作レバー４３ａは、ガイド部材４３ｅにより移動方向をガイドさせている。そして、この第２の天板４は、前記天板移動機構５を介して第１の天板３に接続され、この第１の天板３と相反的に前後移動する。
【００２０】
前記天板移動機構５は、前記図１、図２、図７、及び図８に示すように、本実施形態では、前記第１の天板３に設けた第１のラックギア５１と、前記第２の天板４に設けた第２のラックギア５２と、これら第１及び第２のラックギア５１、５２に同時に噛み合うピニオンギア５３とを備えている。詳述すると、前記第１のラックギア５１は、前記第１の天板３の下面に左右１対に取り付けてなり、下面にラック歯を形成してなる。前記第２のラックギア５２は、前記第２の天板４の下面に左右１対に取り付けてなり、下面にラック歯を形成してなる。なお、この第２のラックギアは、前記第１のラックギアよりも外方に設けている。そして、前記ピニオンギア５３は、前記第１のラックギア５１に噛み合う第１のギア体５３ａと、前記第１のギア体５３ａ及び前記第２のラックギア５２に噛み合う第２のギア体５３ｂとからなる。また、前記第１のギア体５３ａは、前記第２のギア体５３ｂよりも歯幅を大きくしている。そして、前記第１のラックギア５１と前記第２のギア体５３ｂとを歯幅方向に隣接させて配置していて、これら第１のラックギア５１及び前記第２のギア体５３ｂを前記第１のギア体５３ａに同時に噛み合わせてこれらを同期移動可能にしている。
【００２１】
一方、前記ディスプレイアーム６は、前述したように、また、前記図１〜図４に示すように、前記天板支持構造体２に取り付けてなる支持部６１と、この支持部６１に高さ方向位置を変更可能に一端部を支持させてなるとともに他端部にディスプレイモニタを前後方向への移動のみを可能に支持させてなるアーム本体６２とを有する。
【００２２】
前記支持部６１は、前記天板支持部６１に接続してなる取付部６１ａと、この取付部から上方に起立して設けた支柱６１ｂとを備えている。
【００２３】
前記アーム本体６２は、前記支柱６１ａに抱着させてなる被支持部６２ａと、この被支持部６２ａの前方に接続してなる第１及び第２のリンク機構６２ｂ、６２ｃと、これら第１及び第２のリンク機構６２ｂ、６２ｃに支持させてなるとともに前方にディスプレイモニタを取り付け可能なモニタ取付部６２ｄとを具備する。
【００２４】
前記第１のリンク機構６２ｂは、前記支持部６１に支持させてなる第１のリンクメンバ６２ｂ１と、この第１のリンクメンバ６２ｂ１の左右に鉛直方向に延伸する第１の軸６２ｂ５を中心に回転可能に一端部を支持させてなる左右の第２のリンクメンバ６２ｂ２と、前記第２のリンクメンバ６２ｂ２の他端側に鉛直方向に延伸する第２の軸６２ｂ６を中心に回転可能にそれぞれ支持させてなる左右の第３のリンクメンバ６２ｂ３と、両端部を前記各第３のリンクメンバ６２ｂ３の他端側に鉛直方向に延伸する第３の軸６２ｂ７を中心に回転可能にそれぞれ支持させてなるとともにモニタを支持させてなる第４のリンクメンバ６２ｂ４とを有する。ここで、本実施形態では、前記第１のリンクメンバ６２ｂ１及び前記第３のリンクメンバ６２ｂ３は、上下に対をなして設けた棒状部材の組を利用して形成している。一方、前記第２のリンクメンバ６２ｂ２及び前記第４のリンクメンバ６２ｂ４は、１本の棒状部材を利用して形成しているとともに、隣接するリンクメンバの上下の棒状部材の間に進入可能である。
【００２５】
一方、前記第２のリンク機構６２ｃは、前記第１のリンク機構６２ｂの第１のリンクメンバ６２ｂ１に水平方向に延伸する図示しない第４の軸を介して支持させてなる第５のリンクメンバ６２ｃ１と、前記第４のリンクメンバ６２ｂ４に水平方向に延伸する図示しない第５の軸を介して支持させてなるとともに前記第５のリンクメンバ６２ｃ１に水平方向に延伸する第６の軸６２ｃ３を接続してなる第６のリンクメンバ６２ｃ２とを有する。ここで、前記第５及び第６のリンクメンバ６２ｃ１、６２ｃ２は、板状の部材を利用して形成している。
【００２６】
この机Ｄの各部の作動を以下に述べる。
【００２７】
キーボード操作を終了し筆記作業を行う際に、天板移動機構５の各部位は以下のように作動する。第１の天板３を使用位置Ｕから収納位置Ｓに押し込む操作が行われると、第１の天板３の下面に設けた第１のラックギア５１から前記ピニオンギア５３の第１のギア体５３ａに駆動力が伝達されて第１のギア体５３ａが回転し、このピニオンギア５３の第２のギア体５３ｂが第１のギア体５３ａと同期して回転する。すると、この第２のギア体５３ｂから第２の天板４の下面に設けた第２のラックギア５２に回転力が伝達され、この回転力が第２の天板４を使用位置Ｕ側に駆動する駆動力に変換される。一方、第２の天板４を収納位置Ｓから使用位置Ｕに引き出す操作が行われると、第２の天板４の下面に設けた第２のラックギア５２を介して前記ピニオンギア５３の第２のギア体５３ｂに駆動力が伝達されて第２のギア体５３ｂが回転し、このピニオンギア５３の第１のギア体５３ａが第２のギア体５３ｂと同期して回転する。すると、この第１のギア体５３ａから第１の天板３の下面に設けた第１のラックギア５１に回転力が伝達され、この回転力が第１の天板３を収納位置Ｓ側に駆動する駆動力に変換される。一方、筆記作業を終了しキーボード操作を行う際に第２の天板４を使用位置Ｕから収納位置Ｓに押し込む操作、又は第１の天板３を収納位置Ｓから使用位置Ｕに引き出す操作が行われると、前記天板移動機構５の各部位は上述した動作と逆方向に作動する。
【００２８】
また、前記筆記台昇降リンク機構４３の操作レバー４３ａの操作端４３ａ１に操作力を加えられると、この操作レバーにより前記筆記台昇降リンク機構４３の第１のリンクメンバ４３ｂの一端部が駆動され、第２のリンクメンバ４３ｃの一端部との距離が変化するので、これら第１及び第２のリンクメンバ４３ｂ、４３ｃの他端部に接続した支持軸部材４３ｄは奥行き方向位置を変化させつつ、また前記ストッパ部材４２ｂと接触しつつ昇降移動する。そして、筆記台４２の傾斜角を５度、１０度、１５度のうち所望の傾斜角に設定した後、操作を解除すると、筆記台４２のストッパ部材４２ｂの凹部と支持軸部材４３ｄとが係り合い、筆記台４２が反使用端縁３ｃ側に向けて所望の角度だけ上昇する状態に保持される。また、筆記台４２の上面に設定した前記記帳領域４２ａが第２の天板４の他の領域の天板面４ａと面一となった状態すなわち傾斜が０度である状態で操作を解除すると、筆記台４２は天板本体４１に支持され、傾斜が０度である状態が維持される。
【００２９】
一方、ディスプレイモニタ又はモニタ取付部６２ｄに前後方向に向かう操作力が加えられると、第１のリンク機構６２ｂは以下のように作動する。まず、モニタ取付部６２ｄに接続された第４のリンクメンバ６２ｂ４がつれて前後方向に移動する。この操作力は、第４のリンクメンバ６２ｂ４から第３のリンクメンバ６２ｂ３へ、また、第３のリンクメンバ６２ｂ３から第２のリンクメンバ６２ｂ２へ、そして、第２のリンクメンバ６２ｂ２から第１のリンクメンバ６２ｂ１へと順次伝達される。その一方で、第１のリンクメンバ６２ｂ１は支持部６１に固定されているので、第２及び第３のリンクメンバ６２ｂ３を接続する第２の軸６２ｂ６は、第４のリンクメンバ６２ｂ４と第１のリンクメンバ６２ｂ１との距離が変化したことを受けて、側方に移動する。また、第２のリンク機構６２ｃは以下のように作動する。すなわち、前記第２のリンク機構６２ｃの第５及び第６のリンクメンバ６２ｃ１、６２ｃ２の下端同士が接近し、第６の軸６２ｃ３が上下方向に移動する。
【００３０】
一方、ディスプレイモニタ又はモニタ取付部６２ｄに左右方向に向かう操作力が加えられた場合は、前記第２のリンク機構６２ｃの各構成要素、すなわち、第５のリンクメンバ６２ｃ１、第６のリンクメンバ６２ｃ２、第４の軸、第５の軸、及び第６の軸６２ｃ３により、第１のリンク機構６２ｂの各構成要素の左右への移動が規制され、従って、ディスプレイモニタ及びモニタ取付部６２ｄの左右への移動も規制される。
【００３１】
本実施形態に係る机Ｄは、以上に説明したように、第１の天板３と第２の天板４とが相反的に前後方向に移動させる天板移動機構５を具備するので、筆記作業を行う際に第１の天板３を収納位置Ｓに押し込むと、前記天板移動機構５により第２の天板４が使用位置Ｕまで移動し、また、キーボード操作を行う際に第２の天板４を収納位置Ｓに押し込むと、前記天板移動機構５により第１の天板３が使用位置Ｕまで移動するので、従来のこの種の天板付き家具と比較して、利用者が移動することなく利用者に近い位置で第１の天板３を利用したキーボード操作及び第２の天板４を利用した筆記作業の双方を行うことができる。
【００３２】
さらに、前記第１の天板３及び第２の天板４を共通の天板支持構造体２に支持させてなるとともに、前記天板支持構造体２の床面からの高さ位置を変更可能であるので、利用者の体格に対応して第１及び第２の天板３、４の高さ位置を変更することにより、このような天板付き家具を快適に使用できる。特に、本実施形態では、第１の天板３の天板面３ａの床面からの高さ位置を４８０ｍｍ〜７４５ｍｍの範囲で変更可能にしているので、日本人の成人男女のそれぞれ９５％が快適にキーボード操作を行うことができる。
【００３３】
また、前記天板移動機構５が、前記第１の天板３に設けた第１のラックギア５１と、前記第２の天板４に設けた第２のラックギア５２と、これら第１及び第２のラックギア５１、５２に同時に噛み合うピニオンギア５３とを備えているので、簡単な構成により、第１の天板３と第２の天板４とを相反的に前後移動させることができるという効果を実現することができる。
【００３４】
加えて、前記ピニオンギア５３が、前記第１のラックギア５１に噛み合う第１のギア体５３ａと、前記第１のギア体５３ａ及び前記第２のラックギア５２に噛み合う第２のギア体５３ｂとからなり、前記第１及び第２のラックギア５１、５２をそれぞれ前記第１及び第２の天板３、４の下面にそれぞれ形成し、前記第１のギア体５３ａを前記第１のラックギア５１に噛み合わせるとともに前記第２のギア体５３ｂを前記第２のラックギア５２に噛み合わせ、さらに前記第１のラックギア５１と前記第２のギア体５３ｂとを歯幅方向に互いに隣接させて配置しているので、天板の幅方向に延伸する軸回りに回転する１つのピニオンギアを利用する態様と比較して、第１のラックギア５１のラック歯が第１の天板３の上面に露出せず、従って第１の天板３を使用位置Ｕに引き出した際の外観を整えることができる。
【００３５】
さらに、前記天板支持構造体２に取り付けてなる支持部６１と、この支持部６１に高さ方向位置を変更可能に一端部を支持させてなるとともに他端部にディスプレイモニタを前後方向への移動のみを可能に支持させてなるアーム本体６２とを有するディスプレイアーム６をさらに有するので、ディスプレイモニタの位置を調整する際にはディスプレイモニタは前後方向にのみ移動し、誤ってディスプレイモニタを左右方向に移動させてしまう不具合が発生しにくいので、本実施形態に係る机Ｄを利用して情報機器の操作を行う際に、ディスプレイモニタの前後方向位置を片手で容易に調整することができる。
【００３６】
加えて、前記アーム本体６２が、前記支持部６１に支持させてなる第１のリンクメンバ６２ｂ１と、この第１のリンクメンバ６２ｂ１の左右に鉛直方向に延伸する軸を中心に回転可能に一端部を支持させてなる左右の第２のリンクメンバ６２ｂ２と、前記第２のリンクメンバ６２ｂ２の他端側に鉛直方向に延伸する軸を中心に回転可能にそれぞれ支持させてなる左右の第３のリンクメンバ６２ｂ３と、両端部を前記各第３のリンクメンバ６２ｂ３の他端側に鉛直方向に延伸する軸を中心に回転可能にそれぞれ支持させてなるとともにモニタを支持させてなる第４のリンクメンバ６２ｂ４とを有するリンク機構を具備するので、ディスプレイモニタ及び第４のリンクメンバ６２ｂ４を前記支持部６１及び第１のリンクメンバ６２ｂ１に向けて移動させる、或いはこれらから離間させる作用を与えると、第２及び第３のリンクメンバ６２ｂ３がディスプレイモニタ及び第４のリンクメンバ６２ｂ４に連動して移動すし、従って、ディスプレイモニタの前後方向への移動を容易に行うことができる。
【００３７】
そして、前記アーム本体６２が、前記第１のリンクメンバ６２ｂ１に水平方向に延伸する軸を介して支持させてなる第５のリンクメンバ６２ｃ１と、前記第４のリンクメンバ６２ｂ４に水平方向に延伸する軸を介して支持させてなるとともに前記第５のリンクメンバ６２ｃ１に水平方向に延伸する軸を介して直接又は間接に接続してなる第６のリンクメンバ６２ｃ２とをさらに有する第２のリンク機構６２ｃをさらに含むので、前記第２のリンク機構６２ｃの軸、及び前記第５、第６のリンクメンバ６２ｃ２により、左右方向の作用に対する剛性を高めることができ、従って、左右方向への移動を確実に規制することができる。
【００３８】
なお、本発明は以上に述べた実施形態に限られない。
【００３９】
例えば、図９〜図１１に示すように、天板支持構造体Ａ２に第１及び第２の天板Ａ３、Ａ４を支持させる構成の机において、一端部を第１の天板Ａ３に接続してなるとともに、他端部を第２の天板Ａ４に接続してなり、一方側にのみ屈曲可能なチェーンＡ５１と、このチェーンＡ５１の後方に設けられこのチェーンの後方への移動を規制する移動規制部Ａ５２とを具備する天板移動機構Ａ５を形成してもよい。前記チェーンＡ５１は、複数のチェーン要素Ａ５１ａを連結軸Ａ５１ｂを介して接続してなり、図９〜１１における内方側にのみ屈曲可能である。一方、前記移動規制部Ａ５２は、前方に開口する半円筒状の部材であり、前記第１又は第２の天板Ａ３、Ａ４からチェーンＡ５１に後方に押し込む操作力が伝達された際にチェーンＡ５１の移動方向を案内し、前記操作力が加えられていない側の天板を前方に押し出す操作力に変換する。なお、図示はしないが、この移動規制部Ａ５２とチェーンＡ５１を挟んで反対側に、チェーンＡ５１の前方への移動を規制する抜け止め部を、滑車等を利用して設けるようにしてもよい。このような抜け止め部を設けた場合、第１又は第２の天板をのうち一方を収納位置に向けて後方に押し込む操作を加えた場合に他方を使用位置に向けて前方に移動させることができるだけでなく、第１又は第２の天板のうち一方を使用位置に向けて前方に引き出す操作を加えた場合に、他方の天板を収納位置に向けて後方に移動させることができる。
【００４０】
さらに、前述した実施形態に係る天板移動機構５に替えて、以下に述べるような天板移動機構Ｂ５を採用してもよい。この天板移動機構Ｂ５は、図１２及び図１３に示すように、前記第１の天板３に設けた第１のラックギアＢ５１と、前記第２の天板４に設けた第２のラックギアＢ５２と、これら第１及び第２のラックギアＢ５１、Ｂ５２に同時に噛み合うピニオンギアＢ５３とを備えている。詳述すると、前記第１のラックギアＢ５１は、前記第１の天板３の外側面に取り付けてなり、外側面にラック歯を形成してなる。前記第２のラックギアＢ５２は、ブラケットＢ５２ａを介して前記第２の天板４の下面に左右１対に取り付けてなり、内側面にラック歯を形成してなる。そして、前記ピニオンギアＢ５３は、本実施形態では、前記第１のラックギアＢ５１に噛み合う第１のギア体Ｂ５３ａと、前記第２のラックギアＢ５２に噛み合う第２のギア体Ｂ５３ｂと、これら第１及び第２のギア体Ｂ５３ａ、Ｂ５３ｂの回動中心をなしこれら第１及び第２のギア体Ｂ５３ａ、Ｂ５３ｂを接続する軸Ｂ５３ｃとからなる。
【００４１】
キーボード操作を終了し筆記作業を行う際に、この天板移動機構Ｂ５の各部位は以下のように作動する。第１の天板３を使用位置Ｕから収納位置Ｓに押し込む操作が行われると、第１の天板３から第１のラックギアＢ５１を介して前記ピニオンギアＢ５３の第１のギア体Ｂ５３ａに駆動力が伝達され、このピニオンギアＢ５３の第２のギア体Ｂ５３ｂが第１のギア体Ｂ５３ａと同期して回転する。すると、この第２のギア体Ｂ５３ｂから第２のラックギアＢ５２に回転力が伝達され、この回転力が第２の天板４を使用位置Ｕ側に駆動する駆動力に変換される。一方、第２の天板４を収納位置Ｓから使用位置Ｕに引き出す操作が行われると、第２の天板４から第２のラックギア５２を介して前記ピニオンギアＢ５３の第２のギア体Ｂ５３ｂに駆動力が伝達され、このピニオンギアＢ５３の第１のギア体Ｂ５３ａが第２のギア体Ｂ５３ｂと同期して回転する。すると、この第１のギア体Ｂ５３ａから第１のラックギアＢ５１に回転力が伝達され、この回転力が第１の天板３を収納位置Ｓ側に駆動する駆動力に変換される。一方、筆記作業を終了しキーボード操作を行う際に第２の天板４を使用位置Ｕから収納位置Ｓに押し込む操作、又は第１の天板３を収納位置Ｓから使用位置Ｕに引き出す操作が行われると、前記天板移動機構Ｂ５の各部位は上述した動作と逆方向に作動する。
【００４２】
また、第１の天板及び第２の天板をそれぞれ別体をなす第１及び第２の天板支持体にそれぞれ支持させるようにしてもよい。さらに、第１の天板に対する第２の天板の高さ方向位置を変更可能に構成してもよい。一方、このような天板付き家具を特定の者がもっぱら使用することがわかっている場合等においては、第１及び第２の天板の床面からの高さ方向位置を変更不可能に構成してもよい。
【００４３】
そして、上述した実施形態のような第１及び第２のラックギアとピニオンギアとを備えた天板移動機構において、部品点数の削減及び構造の簡単化を図るべく、第１の天板の上面に第１のラックギア、第２の天板の下面に第２のラックギアを設け、第１及び第２の天板の間にこれら第１及び第２のラックギアと同時に噛み合わせてなるピニオンギアを設ける態様を採用してももちろんよい。
【００４４】
加えて、ディスプレイアームのアーム本体において、上述した実施形態に示したような第２のリンク機構は省略してもよい。さらに、ノートパソコンを使用する場合や、天板支持構造体等にディスプレイモニタを支持させる態様を採用する場合等においては、このようなディスプレイアーム自体を省略してもよい。
【００４５】
その他、机だけでなくパソコン収納ラックを同様に構成する態様を採用する等、本発明の趣旨を損ねない範囲で種々に変更してよい。
【図面の簡単な説明】
【００４６】
【図１】本発明の一実施形態に係る机を示す斜視図。
【図２】同実施形態に係る机を示す側面図。
【図３】同実施形態に係る机を示す正面図。
【図４】同実施形態に係る机を示す平面図。
【図５】同実施形態に係る机の第１の天板を示す側面図。
【図６】同実施形態に係る机の第２の天板を示す中央側断面図。
【図７】同実施形態に係る机の要部の拡大斜視図。
【図８】同実施形態に係る机の要部の拡大正面図。
【図９】本発明の他の実施形態に係る机の要部を示す斜視図。
【図１０】同実施形態に係る机の作動を示す図。
【図１１】図９における要部をさらに拡大して示す図。
【図１２】本発明の他の実施形態に係る机の要部の拡大斜視図。
【図１３】同実施形態に係る机の要部の拡大正面図。
【符号の説明】
【００４７】
Ｄ…机
２…天板支持構造体
３…第１の天板
３ａ…天板面
４…第２の天板
４ａ…天板面
５、Ａ５、Ｂ５…天板移動機構
５１、Ｂ５１…第１のラックギア
５２、Ｂ５２…第２のラックギア
５３、Ｂ５３…ピニオンギア
Ａ５１…チェーン
Ａ５２…移動規制部  
【図１】
2010142429.tif 000003
【図２】
2010142429.tif 000004
【図３】
2010142429.tif 000005
【図４】
2010142429.tif 000006
【図５】
2010142429.tif 000007
【図６】
2010142429.tif 000008
【図７】
2010142429.tif 000009
【図８】
2010142429.tif 000010
【図９】
2010142429.tif 000011
【図１０】
2010142429.tif 000012
【図１１】
2010142429.tif 000013
【図１２】
2010142429.tif 000014
【図１３】
2010142429.tif 000015